(57)【要約】【課題】  多額の投資を必要とせずに、調色者が目的とする色を簡便かつ確実に調色するための計量機及びカラーカードを提供する。【解決手段】  情報入力手段、情報処理手段及び塗料配合組成表示手段を備えた計量機であって、上記計量機は、コード化された塗料配合組成データを処理し、上記塗料配合組成データを上記塗料配合組成表示手段に表示することによって調色者に調色情報を提供するものであり、上記コード化は、バーコードによるものであり、上記情報入力手段は、バーコード読取手段であり、上記情報処理手段は、上記コード化された塗料配合組成データを情報処理することによって、上記塗料配合組成表示手段に表示する機能を有することを特徴とする計量機。【選択図】        なし 【実用新案登録請求の範囲】
【請求項１】
情報入力手段、情報処理手段及び塗料配合組成表示手段を備えた計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項２】
情報入力手段、情報処理手段及び塗料配合組成表示手段を備え、更に計量ユニットを有する計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項３】
情報入力手段、情報処理手段及び塗料配合組成表示手段を備え、更に操作キーを有する計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項４】
情報入力手段、情報処理手段及び塗料配合組成表示手段を備え、更に重量表示手段を有する計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項５】
情報入力手段、情報処理手段及び塗料配合組成表示手段を備えた計量機であって、
前記計量機は、コード化された塗料配合組成データを処理し、前記塗料配合組成データを前記塗料配合組成表示手段に表示することによって調色者に調色情報を提供するものであり、
前記コード化は、二次元バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項６】
情報入力手段、情報処理手段及び塗料配合組成表示手段を備えた計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記コード化された塗料配合組成データは、少なくとも一部に塗色が表示されたカラーカード上に表示されたものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項７】
バーコードによってコード化された塗料配合組成データを有することを特徴とするカラーカード。
【請求項８】
バーコードによってコード化された塗料配合組成データを有し、更に塗料配合組成データに対応した塗色が表示された塗色表示手段を有することを特徴とするカラーカード。
【請求項９】
二次元バーコードによってコード化された塗料配合組成データを有し、更に塗料配合組成データに対応した塗色が表示された塗色表示手段を有することを特徴とするカラーカード。
【考案の詳細な説明】
【技術分野】
【０００１】
本考案は、計量機及びカラーカードに関する。
【背景技術】
【０００２】
自動車補修用塗料は、修理や改修等の目的で自動車の外装の一部又は全部を塗装しなおす際に使用される。通常、このような自動車補修塗装においては、既に塗装されている表面色と同一の色を再現するための調色を行うことが必要である。
【０００３】
このような調色のための計量機として、マイクロコンピュータを内蔵した計量機が用いられている。このような計量機においては、操作キーと表示手段とが設けられた表示盤中にマイクロコンピュータが内蔵されており、調色を行う者が配合表に基づいて、操作キーによって塗料配合組成データを入力すると、入力したデータが表示手段に表示され、表示された塗料配合組成データに基づいて簡便に塗料の調色を行うことができるものである。
【０００４】
このような計量機が特許文献１に記載されている。しかし、このような計量機では、カードに記載された塗料配合組成データを、操作キーを用いて調色者が手で入力するものであるため、入力ミスが生じやすく、入力にも時間がかかるという問題がある。
【０００５】
特許文献２には、コンピューター装置と回線で接続された端末装置、自動計量システムからなる自動計量調色システムが開示されている。しかし、この技術は、調色者が端末装置を保有することが必要とされるため，初期投資額が大きく、かつコンピューターの使用方法にも熟達する必要があるため、簡便な方法であるとはいえず、特に小規模の業者に対して色情報を提供する方法としては充分なものではなかった。
【特許文献１】実開平１−１５８９２９号公報（第１頁）
【特許文献２】特開平２−１８４３６９号公報（第１頁）
【考案の開示】
【考案が解決しようとする課題】
【０００６】
本考案は、上記に鑑み、多額の投資を必要とせずに、調色者が目的とする色を簡便かつ確実に調色するための計量機及びカラーカードを提供することを目的とするものである。
【課題を解決するための手段】
【０００７】
本考案は、情報入力手段、情報処理手段及び塗料配合組成表示手段を備えた計量機であって、上記計量機は、コード化された塗料配合組成データを処理し、上記塗料配合組成データを上記塗料配合組成表示手段に表示することによって調色者に調色情報を提供するものであり、上記コード化は、バーコードによるものであり、上記情報入力手段は、バーコード読取手段であり、上記情報処理手段は、上記コード化された塗料配合組成データを情報処理することによって、上記塗料配合組成表示手段に表示する機能を有することを特徴とする計量機である。
【０００８】
本考案は、情報入力手段、情報処理手段及び塗料配合組成表示手段を備え、更に計量ユニットを有する計量機であって、上記計量機は、コード化された塗料配合組成データを処理し、上記塗料配合組成データを上記塗料配合組成表示手段に表示することによって調色者に調色情報を提供するものであり、上記コード化は、バーコードによるものであり、上記情報入力手段は、バーコード読取手段であり、上記情報処理手段は、上記コード化された塗料配合組成データを情報処理することによって、上記塗料配合組成表示手段に表示する機能を有することを特徴とする計量機でもある。
【０００９】
本考案は、情報入力手段、情報処理手段及び塗料配合組成表示手段を備え、更に操作キーを有する計量機であって、上記計量機は、コード化された塗料配合組成データを処理し、上記塗料配合組成データを上記塗料配合組成表示手段に表示することによって調色者に調色情報を提供するものであり、上記コード化は、バーコードによるものであり、上記情報入力手段は、バーコード読取手段であり、上記情報処理手段は、上記コード化された塗料配合組成データを情報処理することによって、上記塗料配合組成表示手段に表示する機能を有することを特徴とする計量機でもある。
【００１０】
本考案は、情報入力手段、情報処理手段及び塗料配合組成表示手段を備え、更に重量表示手段を有する計量機であって、上記計量機は、コード化された塗料配合組成データを処理し、上記塗料配合組成データを上記塗料配合組成表示手段に表示することによって調色者に調色情報を提供するものであり、上記コード化は、バーコードによるものであり、上記情報入力手段は、バーコード読取手段であり、上記情報処理手段は、上記コード化された塗料配合組成データを情報処理することによって、上記塗料配合組成表示手段に表示する機能を有することを特徴とする計量機でもある。
【００１１】
本考案は、情報入力手段、情報処理手段及び塗料配合組成表示手段を備えた計量機であって、上記計量機は、コード化された塗料配合組成データを処理し、上記塗料配合組成データを上記塗料配合組成表示手段に表示することによって調色者に調色情報を提供するものであり、上記コード化は、二次元バーコードによるものであり、上記情報入力手段は、バーコード読取手段であり、上記情報処理手段は、上記コード化された塗料配合組成データを情報処理することによって、上記塗料配合組成表示手段に表示する機能を有することを特徴とする計量機でもある。
【００１２】
本考案は、情報入力手段、情報処理手段及び塗料配合組成表示手段を備えた計量機であって、上記計量機は、コード化された塗料配合組成データを処理し、上記塗料配合組成データを上記塗料配合組成表示手段に表示することによって調色者に調色情報を提供するものであり、上記コード化は、バーコードによるものであり、上記コード化された塗料配合組成データは、少なくとも一部に塗色が表示されたカラーカード上に表示されたものであり、上記情報入力手段は、バーコード読取手段であり、上記情報処理手段は、上記コード化された塗料配合組成データを情報処理することによって、上記塗料配合組成表示手段に表示する機能を有することを特徴とする計量機でもある。
【００１３】
本考案はまた、バーコードによってコード化された塗料配合組成データを有することを特徴とするカラーカードでもある。
本考案はまた、バーコードによってコード化された塗料配合組成データを有し、更に塗料配合組成データに対応した塗色が表示された塗色表示手段を有することを特徴とするカラーカードでもある。
本考案はまた、二次元バーコードによってコード化された塗料配合組成データを有し、更に塗料配合組成データに対応した塗色が表示された塗色表示手段を有することを特徴とするカラーカードでもある。
以下に、本考案を詳細に説明する。
【００１４】
本考案は、コード化された塗料配合組成データを、情報入力手段、情報処理手段及び塗料配合組成表示手段を備えた計量機で処理し、上記塗料配合組成データを上記塗料配合組成表示手段に表示することによって調色者に調色情報を提供する塗料の調色支援システムである。本考案の塗料の調色支援システムは、主に自動車補修用塗料の調色において、目的とする色相を有する塗料を効率よく調製するために使用することができ、本考案の塗料の調色支援システムを使用することによって、簡便かつ確実に塗料の調色を行うことができる。以下、図面を参照しつつ本考案を説明する。
【００１５】
図１は、本考案において使用する計量機の一例を表すものである。上記計量機は重量を計量するためのユニットに加えて、情報入力手段１、情報処理手段（図示せず）及び塗料配合組成表示手段２を備えたものである。上記計量機によって、塗料配合表示手段２に調色情報を表示し、計量時の各成分の混合量と調色情報とを対比させながら、簡便かつ確実に所望する塗色を得ることができる。
【００１６】
上記計量ユニットは、特に限定されるものではないが、例えば、図１に示された計量機では、載せ台６、及び、支柱の上部に設けられた表示盤３を有するものである。上記表示盤３には、塗料配合組成表示手段２が設けられている。表示盤３は、情報入力手段１と接続されており、情報処理手段（図示せず）が内蔵されているものである。なお、図１では、情報入力手段１と表示盤３とが物理的に連結されているが、これらは必ずしも物理的に連結されている必要はなく、情報入力手段１によって読み取った塗料配合組成データを上記情報処理手段に転送することができる機能を有するものであれば、それぞれが物理的に独立していてもよい。
【００１７】
本考案において、上記情報入力手段１は、バーコード読取手段である。上記バーコード読取手段は、バーコードの形式でコード化された塗料配合組成データを読み取ることができるものであれば、形状等は特に限定されない。上記情報入力手段１によって読み取られた上記塗料配合組成データは、上記情報処理手段によって処理され、上記塗料配合表示手段２に表示される。
【００１８】
上記情報処理手段は、上記情報入力手段１によって入力されたコード化された塗料配合組成データを情報処理することによって、上記塗料配合組成表示手段２に表示する機能を有するものである。上記情報処理手段は、通常、表示盤中３に内蔵され、上記機能を達成するために必要とされるプログラムを有するマイクロコンピュータである。
【００１９】
上記塗料組成表示手段２は、上記情報入力手段１によって入力された塗料配合データを表示するためのものである。上記塗料組成表示手段２に塗料配合組成データを表示することによって、調色者に情報を提供し、これによって塗料の調色を支援するものである。上記塗料組成表示手段２としては特に限定されず、通常ディスプレー用に用いられる画面を使用することができ、例えば、液晶画面等を挙げることができる。
【００２０】
塗料組成表示手段２の表示内容は、調色者に塗料配合組成データを情報として提供できるものであれば特に限定されるものではない。図２に、塗料組成表示手段２の一例を示す。図２の塗料組成表示手段の表示内容は、塗料の調製工程をステップ化し、ステップごとに調色者に対して指示するように順次塗料組成の各成分を表示するものである。すなわち、図２に示したように、「×××××を５２６．０ｇ入れてください」との指示が塗料組成表示手段２に表示され、これに従って調色者が必要とする原料を必要量計量すると、次の原料名と必要量が同様に表示され、このような指示に従って原料を計量、混合すると、最終的に必要とする塗料を調色することができるものである。
【００２１】
上記計量機は、更に、操作キー４を有することが好ましい。上記操作キー４によって、塗料調製において必要となる事項、例えば、塗料の必要量等を入力できるものである。更に、塗料配合データを操作キー４からも入力できる機能を有するものであってもよい。これによって、上記コード化された塗料配合データを有さないような塗料配合の調色を行う場合であっても、上記計量機によって塗料調色の支援を行うことができる。図１の計量計においては、上記操作キー４は、表示盤３上に設けられている。
【００２２】
上記計量機は、塗料配合組成表示手段２以外の必要な表示手段を有するものであってもよい。上記表示手段としては、例えば、計量機によって計量した数値を表示する重量表示手段５等を挙げることができる。上記計量機は、図１においては、表示盤３上に設けられている。
【００２３】
本考案は、上記計量機によって、コード化された塗料配合組成データを処理し、調色情報を提供するものである。すなわち、上記コード化された塗料配合組成データを使用することにより、上記計量機への塗料配合組成データの入力が容易となり、手で入力する場合にくらべて入力ミスが大幅に減少するため、効率よく塗料の調色を行うことができるものである。
【００２４】
本考案の計量機は、多数種の塗色に対応した上記コード化された塗料配合組成データを準備しておき、塗料を調色する際に、塗色データ中から、必要とする塗色に最も近似した色相を有する塗色を選択し、選択した塗色に対応した上記コード化された塗料配合組成データを上記計量機に取り込むことによって簡便に塗料の調色を行うことができるようにするものである。
【００２５】
従って、上記コード化された塗料配合組成データは、使用される可能性が高い塗色に対応して必要数を取り揃えることが必要である。上記塗料の調色支援システムが自動車補修用塗料の調色に使用するものである場合は、現実に販売された自動車車種の色種に対応した上記コード化された塗料配合組成データを備えるものであることが好ましい。また、自動車塗料は、経年変化による退色や変色等の影響を受けて、塗装時の状態と同一ではないことが多いことから、このような退色や変色を考慮して、同一車種の同一色種に対して複数種の塗色を想定し、これら複数種の塗色に対応したのコード化された塗料配合組成データを有するものであってもよい。
【００２６】
上記コード化された塗料配合組成データは、バーコードによってコード化されたものである。上記バーコードによってコード化することによって、多数の上記コード化された塗料配合組成データを簡便に保管、管理することができるため、データベースを使用する必要がなく、簡単に使用することができる。また、上記バーコード読取手段による上記バーコードの読み取りは、極めて簡便であり、熟練を必要としない点からも好ましい。
【００２７】
上記バーコードは、二次元バーコードであることが好ましい。上記二次元バーコードは、横縦の２方向で情報を表現するバーコードであり、従来の一次元バーコードの数十倍から数百倍の情報を保存することができ、これによって文字や数字等のデータをコード化して管理することができるものである。更に、３６０°全方向からの高速読取が可能であり、破損・汚れがあっても読取が可能であるという利点がある。特に、塗料の調色においては、塗料原料によって汚れが生じやすいため、汚れが生じた場合にも読み取りが容易である点からみても、上記二次元バーコードを使用することが好ましい。
【００２８】
上記バーコードは、少なくとも一部に塗色が表示されたカラーカード上に表示されたものであることが好ましい。上記カラーカードの一例を図３に示す。図３のように、上記カラーカードとして塗料配合組成データを保存、管理することによって、上記コード化された塗料配合組成データの整理が容易であり、省スペース化を図ることができる。更に、新色が発売されることによって、新たな塗料配合組成データを追加することが必要になった場合や、一部の塗料配合組成データのコードを紛失した場合も、対応する上記カラーカードを配布するだけでよいため、低コストで新たなコード化された塗料配合組成データを追加することができる。
【００２９】
上記バーコードは、カラーカードとは別に保存されているものであってもよい。例えば、色を表すカラーコードを上記カラーカードに記載しておき、カラーカードとは別個にカラーコードとバーコードとを記載したバーコードデータ集を作成しておき、上記バーコードデータ集において、カラーコードに基づいて必要とする塗料配合組成データを探し出す形式のものであってもよい。
【００３０】
上記カラーカードは、一枚あたり一種類の色に対応したものであっても、複数種の色に対応したものであってもよい。すなわち、色種ごとに一枚のカラーカードを使用するものであっても、複数種の色に対応したバーコード及び色を一枚のカラーカード上に記載するものであってもよい。上記カラーカードは小型のカードとすることができ、持ち運びが便利で、スペースを取らない。更に、自動車車体の新色が追加された場合には、新たな色ごとに上記カラーカードを追加すればよいため、情報の提供も簡便であり、効率よく上記コード化された塗料配合組成データを管理することができる。
【００３１】
上記カラーカードは、一種類の色に対して複数のコード化された塗料配合組成データを有するものであってもよい。すなわち、同一塗色に対応して、二種類以上の塗料配合組成データが存在する場合もある。このような場合には、二種類以上の塗料配合組成データに対応したコード化された塗料配合組成データを記載しておくことにより、必要に応じて調色者が好ましい塗料配合を選択し、使用することができる。
【００３２】
上記カラーカードは、少なくとも一部に上記カラーカードの塗料配合組成データに対応した塗色が表示された塗色表示手段８を有することが好ましい。一部に塗色が表示されていることによって、塗色を選択する際に、視覚によって塗装を行う個所の塗色と塗色との対比を行うことができるため、簡便に塗色を選択することができ、塗色選択後に、直ちに塗料配合組成データを上記情報入力手段によって、計量機に入力することができるため、効率的である。
【００３３】
上記カラーカードは、塗色及びコード化された塗料配合データの他に、塗料配合データ、上記塗色に対応した車種、カラーコード、測色データ等の塗料配合組成に関する情報を記載するものであってもよい。上記カラーカードにこれらの情報が記載されていることによって、必要とする塗色を選択することが容易になる。
【００３４】
上記計量機及びカラーカードを使用してなる調色方法は、以下の方法に基づいて行うものである。
まず、調色者が必要とする塗色を選択する（工程（１））。上記工程（１）は、調色を行う者が被塗物の色等をもとに、複数の上記コード化された塗料配合組成データのなかから、必要とする塗色に最も近い塗色を選択する工程である。
【００３５】
上記コード化された塗料配合組成データの数は有限であることから、必要とする塗色と完全に同一の塗色を上記コード化された塗料配合組成データ中から選択できるようにするためには、極めて多数のコード化された塗料配合組成データを準備することが必要となる。現実には、このようなことは困難であるから、有限のコード化された塗料配合組成データの中から、調色者がもっとも必要色に近い塗色を選択するものである。得られた塗料と必要色との色調が相違する場合は、塗料を調製した後、色の微調整を行うことによって、被塗物と同一の色を調色することができる。
【００３６】
上記塗料の調色を、自動車の補修用塗料の調色に使用する場合は、補修対象となる自動車の車種、カラーコードに基づいて選択することができる。また、上記塗料の調色支援システムが、少なくとも一部に塗色が表示されたカラーカードを有するものであるときは、上記カラーカード上に表示された塗色を必要色と対応させ、視覚的な判断で適切な塗色を選択することができる。更に、補修対象となる塗膜の色相を測定することによって、測色データに基づいて塗色を選択することもできる。
【００３７】
次いで、上記工程（１）によって選択された塗色に対応した上記コード化された塗料配合組成データを、上記情報入力手段１によって計量機に読み取る（工程（２））。上記工程（２）により、上記塗料配合組成データを簡便に計量機に読み取ることができ、かつ、入力ミスも生じにくい。上記工程（２）によって読み取られたコード化された塗料配合組成データは、上記情報処理手段によって自動的に処理され、上記塗料配合組成表示手段２に表示される。
【００３８】
上記工程（２）においては、塗料調製において必要とされるその他の情報を入力するものであってもよい。上記その他の情報としては特に限定されず、例えば、必要とする塗料重量等を挙げることができる。上記その他の情報の入力手段としては特に限定されず、例えば、上記計量機に設けられた操作キー４によって入力する方法等を挙げることができる。
【００３９】
工程（３）は、上記工程（２）によって上記塗料配合組成表示手段２に表示された上記塗料組成配合に基づいて、調色者が調色を行う工程である。すなわち、上記塗料配合組成表示手段に表示された塗料配合組成データに従って、調色者が各原料成分を計量、混合する工程である。上記塗料配合組成データに基づいて塗料を調製することによって、選択した塗色と同一色の塗膜を形成することができる塗料を調色することができるものである。
【００４０】
上記方法によって調色した塗料の塗色は、目的色と完全には一致しない場合もある。このような場合には、目的色と上記工程（３）によって得られた塗料の色とを比較して、色材等を添加することによって塗料の色相を微調整し、目的とする塗色を得ることが好ましい。
【考案の効果】
【００４１】
本考案の計量機及びカラーカードによって、多額の投資を必要とせずに、調色者が目的とする色を簡便かつ確実に調色するための塗料の調色支援システム及び塗料の調色方法が得られる。このような計量機及びカラーカードを用いた塗料の調色方法は、特に自動車補修用塗料の調製において好適に使用することができる。
【図面の簡単な説明】
【００４２】
【図１】本考案の計量機の一例を表す図である。
【図２】本考案の計量機の塗料配合組成表示手段の一例を表す図である。
【図３】本考案のカラーカードの一例を表す図である。
【符号の説明】
【００４３】
１．情報入力手段
２．塗料配合組成表示手段
３．表示盤
４．操作キー
５．重量表示手段
６．載せ台
７．コード化された塗料配合組成データ
８．塗色表示手段
【図１】
0003115491.tif 000002
【図２】
0003115491.tif 000003
【図３】
0003115491.tif 000004
【手続補正書】
【提出日】平成17年8月19日(2005.8.19)
【手続補正１】
【補正対象書類名】実用新案登録請求の範囲
【補正対象項目名】全文
【補正方法】変更
【補正の内容】
【実用新案登録請求の範囲】
【請求項１】
情報入力手段、情報処理手段及び塗料配合組成表示手段を備えた計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項２】
情報入力手段、情報処理手段及び塗料配合組成表示手段を備え、更に計量ユニットを有する計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項３】
情報入力手段、情報処理手段及び塗料配合組成表示手段を備え、更に操作キーを有する計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項４】
情報入力手段、情報処理手段及び塗料配合組成表示手段を備え、更に重量表示手段を有する計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項５】
情報入力手段、情報処理手段及び塗料配合組成表示手段を備えた計量機であって、
前記計量機は、コード化された塗料配合組成データを処理し、前記塗料配合組成データを前記塗料配合組成表示手段に表示することによって調色者に調色情報を提供するものであり、
前記コード化は、二次元バーコードによるものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。
【請求項６】
情報入力手段、情報処理手段及び塗料配合組成表示手段を備えた計量機であって、
前記計量機は、コード化された塗料配合組成データを処理し、前記塗料配合組成データを前記塗料配合組成表示手段に表示することによって調色者に調色情報を提供するものであり、
前記コード化は、バーコードによるものであり、
前記コード化された塗料配合組成データは、少なくとも一部に塗色が表示されたカラーカード上に表示されたものであり、
前記情報入力手段は、バーコード読取手段であり、
前記情報処理手段は、前記コード化された塗料配合組成データを情報処理することによって、前記塗料配合組成表示手段に表示する機能を有する
ことを特徴とする計量機。